(57)【要約】【課題】本発明の目的は、円柱状の胴体を有している容器において、実際には円柱形状であるにもかかわらず、四角柱などの多角柱形状に錯視させることで、見る者に驚きと楽しさを与えることである。特に、店舗での冷蔵庫の下段に陳列された商品を多角柱形状に見せることで、当該商品を目立たせ、見る者を魅きつけることを目的とする。更に、円筒形状の製造設備をそのまま活用することを目的とする。【解決手段】本発明に係る円筒状加飾容器は、胴体の全体又は一部が円筒形状を有する容器において、円筒部分の外側面１に、円筒部分の主軸方向Ｙが振幅方向でかつ円筒部分の円周方向Ｘが波長方向である帯状の波形２が、円筒部分の主軸方向Ｙに沿って複数並列に配列されていることを特徴とする。【選択図】図７
2009035267.tif 000002
【特許請求の範囲】
【請求項１】
胴体の全体又は一部が円筒形状を有する容器において、円筒部分の外側面に、前記円筒部分の主軸方向が振幅方向でかつ前記円筒部分の円周方向が波長方向である帯状の波形が、前記円筒部分の主軸方向に沿って複数並列に配列されていることを特徴とする円筒状加飾容器。
【請求項２】
前記帯状の波形は、印刷若しくはエンボス加工によって視認されることを特徴とする請求項１に記載の円筒状加飾容器。
【請求項３】
前記帯状の波形は、色の明度が低い濃色帯と色の明度が高い淡色帯とが交互に配列されていることを特徴とする請求項１又は２に記載の円筒状加飾容器。
【請求項４】
前記帯状の波形は、前記円筒部分の主軸方向に沿って色の明度が低から高若しくは高から低に推移する階調を有する階調帯と前記階調の中間の明度の中間調帯とが交互に配列されていることを特徴とする請求項１又は２に記載の円筒状加飾容器。
【請求項５】
前記帯状の波形は、色の明度が高い淡色帯と該淡色帯の明度からより低い明度まで推移する階調帯とが交互に配列されていることを特徴とする請求項１又は２に記載の円筒状加飾容器。
【請求項６】
前記濃色帯の帯幅が前記淡色帯の帯幅よりも小さいか、或いは、前記階調帯の帯幅が前記中間調帯の帯幅よりも小さいか、或いは、前記階調帯の帯幅が前記淡色帯の帯幅よりも小さいかのいずれかに該当することを特徴とする請求項３、４又は５に記載の円筒状加飾容器。
【請求項７】
前記帯状の波形の変位の最小値となる箇所と次の周期の変位の最小値となる箇所との間に挟まれた領域に、単独図柄の印刷若しくはエンボス加工が施されていることを特徴とする請求項１、２、３、４、５又は６に記載の円筒状加飾容器。
【請求項８】
前記波の数が３〜６個であることを特徴とする請求項１、２、３、４、５、６又は７に記載の円筒状加飾容器。
【請求項９】
請求項１、２、３、４、５、６、７又は８に記載の円筒状加飾容器に密封されて充填されていることを特徴とする飲料製品。
【発明の詳細な説明】
【技術分野】
【０００１】
本発明は、胴体の全体若しくは一部が円筒形状である容器に、帯状デザインを付与することで、実際には円筒形状であるにもかかわらず、四角柱など多角柱状に見える錯視効果を有する加飾容器に関する。
【背景技術】
【０００２】
２次元的なパターンを３次元的に見せる技術が開示されている（例えば、特許文献１又は２を参照。）。また、印刷したラインが動くように見える表示シートがある（例えば、特許文献３を参照。）。
【０００３】
特許文献１〜３の技術は、商品の商品力を向上させるため或いは偽造防止のために適用される。
【０００４】
【特許文献１】特開２００６−４３９２０号公報
【特許文献２】特開２００６−１２３３５９号公報
【特許文献３】特開２００５−２６６７３０号公報
【発明の開示】
【発明が解決しようとする課題】
【０００５】
しかし、特許文献１〜３に記載の技術は、２次元のものを単に３次元的に見せるにとどまり、見る者に驚きを与えるほどには至っていない。
【０００６】
飲料缶、飲料用プラスチックボトル又は飲料用壜などの飲料用容器は、形状のほとんどが円柱状の胴体を有している。そして、店舗での冷蔵庫において、複数の商品が陳列されている場合が多いため、店頭にてアイキャッチ性が高いと購入率が高まることが予想される。
【０００７】
そこで、本発明の目的は、円柱状の胴体を有している容器において、実際には円柱形状であるにもかかわらず、四角柱などの多角柱形状に錯視させることで、見る者に驚きと楽しさを与えることである。特に、店舗での冷蔵庫の下段に陳列された商品を多角柱形状に見せることで、当該商品を目立たせ、見る者を魅きつけることを目的とする。更に、円筒形状の製造設備を活用することが可能で、四角柱などの多角柱形状に対応した設備は不要とすることを目的とする。
【課題を解決するための手段】
【０００８】
本発明者らは、波形の帯状デザインを円筒形状の外側面に並列させることによって、斜め上方若しくは斜め下方から円筒部分を見ると波の数に応じた角数の柱状形状に見え、錯視効果が発現することを見出し、本発明を完成させた。すなわち本発明に係る円筒状加飾容器は、胴体の全体又は一部が円筒形状を有する容器において、円筒部分の外側面に、前記円筒部分の主軸方向が振幅方向でかつ前記円筒部分の円周方向が波長方向である帯状の波形が、前記円筒部分の主軸方向に沿って複数並列に配列されていることを特徴とする。
【０００９】
本発明に係る円筒状加飾容器では、前記帯状の波形は、印刷若しくはエンボス加工によって視認される形態が含まれる。
【００１０】
本発明に係る円筒状加飾容器では、前記帯状の波形は、色の明度が低い濃色帯と色の明度が高い淡色帯とが交互に配列されていることが好ましい。多角柱形状を強調して見せることができる。
【００１１】
本発明に係る円筒状加飾容器では、前記帯状の波形は、前記円筒部分の主軸方向に沿って色の明度が低から高若しくは高から低に推移する階調を有する階調帯と前記階調の中間の明度の中間調帯とが交互に配列されていることが好ましい。多角柱形状を強調して見せることができる。
【００１２】
本発明に係る円筒状加飾容器では、前記帯状の波形は、色の明度が高い淡色帯と該淡色帯の明度からより低い明度まで推移する階調帯とが交互に配列されていることが好ましい。多角柱形状を強調して見せることができる。
【００１３】
本発明に係る円筒状加飾容器では、前記濃色帯の帯幅が前記淡色帯の帯幅よりも小さいか、或いは、前記階調帯の帯幅が前記中間調帯の帯幅よりも小さいか、或いは、前記階調帯の帯幅が前記淡色帯の帯幅よりも小さいかのいずれかに該当することが好ましい。多角柱形状をさらに強調して見せることができる。
【００１４】
本発明に係る円筒状加飾容器では、前記帯状の波形の変位の最小値となる箇所と次の周期の変位の最小値となる箇所との間に挟まれた領域に、単独図柄の印刷若しくはエンボス加工が施されていることが好ましい。当該領域は、多角柱形状において角部と角部に挟まれた面として錯視されるため、当該領域に単独図柄の印刷若しくはエンボス加工が施されることによって、多角柱形状をさらに強調して見せることができる。
【００１５】
本発明に係る円筒状加飾容器では、前記波の数が３〜６個であることが好ましい。波の数が３〜６個の場合は三角柱〜六角柱の形状のように錯視される。
【００１６】
本発明に係る飲料製品は、本発明に係る円筒状加飾容器に密封されて充填されていることを特徴とする。
【発明の効果】
【００１７】
本発明は、円柱状の胴体を有している容器において、実際には円柱形状であるにもかかわらず、四角柱などの多角柱形状に錯視させることで、見る者に驚きと楽しさを与えることができる。特に、店舗での冷蔵庫の下段に陳列された商品を多角柱形状に見せることで、当該商品を目立たせ、見る者を魅きつけることができる。更に、円筒形状の製造設備をそのまま活用することが可能であり、四角柱などの多角柱形状に対応した設備は不要である。
【発明を実施するための最良の形態】
【００１８】
添付の図面を参照して本発明の実施の形態を説明する。以下に説明する実施の形態は本発明の構成の例であり、本発明は、以下の実施の形態に制限されるものではない。本発明の効果を奏する限り、種々の形態変更をしてもよい。
【００１９】
本実施形態に係る円筒状加飾容器は、例えば、缶容器、ＰＥＴボトルなどのプラスチックボトル又はガラス壜など、胴体の全部が円筒形状であるか或いはその一部が円筒形状である容器を対象とする。胴体の全部が円筒形状である容器とは、寸胴型容器であり、例えば飲料用金属缶である。一方、胴体の一部が円筒形状である容器とは、例えば胴体の下部が円筒形状であり、胴体の上部が飲み口に至るまで縮径して肩部及び首部を有する容器である。以下の説明では、これらを代表して胴体の全部が円筒形状である缶容器を例として説明することとする。
【００２０】
図１は、本実施形態に係る円筒状加飾缶容器の第一例を示す概略図であり、（ａ）は説明のための外観図、（ｂ）は缶胴の外側面を平面上に展開した展開図である。図１に示すように、本実施形態に係る円筒状加飾缶容器１００は、胴体の全体が円筒形状を有する容器において、円筒部分の外側面１に、円筒部分の主軸方向Ｙが振幅方向でかつ円筒部分の円周方向Ｘが波長方向である帯状の波形２が、円筒部分の主軸方向Ｙに沿って複数並列に配列されている。図１では、円周方向Ｘの波の数が４個、つまり４波長分の波があり、円筒部分の主軸方向Ｙに沿って複数並列に配列されている帯数が１７個である。そして、波高をｈと表記している。
【００２１】
帯状の波形２は、円周方向Ｘについて１周したとき、一連につながっていることが好ましい。すなわち、円周方向Ｘの１周の長さをＬ，帯状の波形２の波長をλとしたとき、（Ｌ／λ）が整数であることが好ましい。
【００２２】
波高ｈは、３〜７ｍｍが好ましく、４〜５ｍｍがより好ましい。波高ｈが７ｍｍよりも大きいと、多角柱に見えやすい角度αが大きくなり、ラベル部分が見にくくなる場合がある。一方、波高ｈが３ｍｍよりも小さいと、多角柱に見えやすい角度αが小さくなり、これに伴って立体的な多角柱として見え難くなりやすい。
【００２３】
波の数が３〜６個、つまり円周方向Ｘに沿った波が３〜６波長分であることが好ましい。波の数が３〜６個の場合は三角柱〜六角柱の形状のように錯視される。そして、四角柱の場合が認識されやすいので、波の数が４個である場合がより好ましい。この場合には、一方向から見える範囲の中に波が存在することによって錯視される。
【００２４】
波の極率Ｒ１，Ｒ２は３０ｍｍ以下が好ましい。また、波形を三角波としてもよい。
【００２５】
本実施形態に係る円筒状加飾缶容器では、帯状の波形２は、印刷若しくはエンボス加工によって視認される形態が含まれる。印刷の場合は、帯単位で色相、明度又は彩度が異なるよう印刷することでそれぞれ別個の帯状の波形２であると見る者に認識させることができる。エンボス加工の場合には、円筒部分の主軸方向Ｙに沿って複数並列に配列されている隣り合う帯同士に凹と凸の関係又は凸と凹の関係を持たせることでそれぞれ別個の帯状の波形２と見る者に認識させることができる。なお、凹と凸の関係又は凸と凹の関係とする時、基準面に対して凹又は凸とする場合を含む。また、印刷とエンボス加工を組み合わせて帯状の波形２を視認させるようにしてもよい。
【００２６】
本実施形態に係る円筒状加飾缶容器では、図１に示すように、帯状の波形２は、円筒部分の主軸方向Ｙに沿って、上から下に向かって、色の明度が低（つまり濃）から高（つまり淡）に推移する階調を有する階調帯２ａと前記階調の中間の明度（つまり中間の濃淡）の中間調帯２ｂとが交互に配列されていることが好ましい。波の帯について濃淡の交互に配列することで多角柱形状を強調して見せることができる。また、色の明度が低から高に推移する階調を有する階調帯２ａを設けることで、明度が低い、つまり濃い部分が影の部分として錯視されるため、多角柱の立体感が出やすい。
【００２７】
図２に示すように、階調帯は、他形態として、円筒部分の主軸方向Ｙに沿って、上から下に向かって、色の明度が高（つまり淡）から低（つまり濃）に推移する階調を有する階調帯１２ａとしてもよい。中間調帯１２ｂは、図１と同じとした。図２は、本実施形態に係る円筒状加飾缶容器の缶胴の外側面の第二例を平面上に展開した展開図である。なお、図２では、波の数が５個の場合を示した。
【００２８】
図３は、図１に示した本実施形態に係る円筒状加飾缶容器（第一例）の正面図であり、図４はその右側面図、図５はその平面図、図６はその底面図である。図３〜図６において点線で示した箇所は、缶容器としてデザイン変更可能な非特徴部分である。図３〜図６において一点差線で示した箇所は、特徴部分と非特徴部分の境界線である。実線又は一点鎖線囲まれた部分が円筒状加飾缶容器のデザインの特徴部分である。なお、左側面図は右側面図と同一であるため省略した。さらに、図７は、本実施形態に係る円筒状加飾缶容器を斜め上方から見た斜視図（画像）であり、使用状態を説明する図である。図３〜図６に示した円筒状加飾缶容器は、図７に示すように、胴部が円筒形状であるにも係わらず、四角柱形状に見える。したがって、見る者に楽しさと驚きを与える。更に、円筒形状の製造設備をそのまま活用することが可能であり、四角柱などの多角柱形状に対応した設備は不要である。
【００２９】
図８は、本実施形態に係る円筒状加飾缶容器の缶胴の外側面の第三例を平面上に展開した展開図である。図８に示すように、本実施形態に係る円筒状加飾缶容器では、帯状の波形は、色の明度が高い淡色帯２２ｂと淡色帯２２ｂの明度からより低い明度まで推移する階調帯２２ａとが交互に配列されていることが好ましい。多角柱形状を強調して見せることができる。なお、図８では、波の数が６個の場合を示した。
【００３０】
本実施形態に係る円筒状加飾缶容器では、帯状の波形は、色の明度が低い濃色帯と色の明度が高い淡色帯とが交互に配列されていることが好ましい。階調帯としない形態例（第四例。ただし不図示）である。この場合においても、多角柱形状を強調して見せることができる。
【００３１】
図１又は図２に示したように、本実施形態に係る円筒状加飾容器（第一例又は第二例）では、階調帯２ａ，１２ａの帯幅が中間調帯２ｂ，１２ｂの帯幅よりも小さいことが好ましい。また、図８に示したように、本実施形態に係る円筒状加飾容器（第三例）では、階調帯２２ａの帯幅が淡色帯２２ｂの帯幅よりも小さいことが好ましい。さらに、本実施形態に係る円筒状加飾容器（第四例）では、濃色帯の帯幅が淡色帯の帯幅よりも小さいことが好ましい。いずれの場合においても、多角柱形状をさらに強調して見せることができる。そして、第一例又は第二例において階調帯２ａ，１２ａの帯幅が中間調帯２ｂ，１２ｂの帯幅よりも１〜２ｍｍ小さいことがより好ましい。また、第三例において階調帯２２ａの帯幅が淡色帯２２ｂの帯幅よりも１〜２ｍｍ小さいことが好ましい。さらに、第四例において濃色帯の帯幅が淡色帯の帯幅よりも１〜２ｍｍ小さいことが好ましい。
【００３２】
図９は、本実施形態に係る円筒状加飾缶容器（第一例）において、ラベルを付したときの変形例を示す展開図である。図９に示すように、本実施形態に係る円筒状加飾缶容器では、帯状の波形２の変位の最小値となる箇所３０と次の周期の変位の最小値となる箇所３１との間に挟まれた領域３２に、単独図柄の印刷３３が施されていることが好ましい。単独図柄の印刷３３の代わりにエンボス加工（不図示）が施されていてもよい。領域３２は、多角柱形状において角部と角部に挟まれた面として錯視されるため、領域３２に単独図柄の印刷３３若しくはエンボス加工（不図示）が施されることによって、多角柱形状をさらに強調して見せることができる。
【００３３】
本実施形態に係る円筒状加飾容器に密封されて充填されている飲料製品は、当該製品を選択しようとする消費者に驚きと楽しさを与える。
【００３４】
本実施形態に係る円筒状加飾容器は、ガラス壜又はＰＥＴボトルの胴体の一部を占める円筒部分に適用した場合、肩部及び首部は通常通りに見えるのに対して、実際には円筒形状部分が多角柱に錯視されるため、このようなときにも消費者に驚きと楽しさを与える。
【図面の簡単な説明】
【００３５】
【図１】本実施形態に係る円筒状加飾缶容器の第一例を示す概略図であり、（ａ）は説明のための外観図、（ｂ）は缶胴の外側面を平面上に展開した展開図である。
【図２】本実施形態に係る円筒状加飾缶容器の缶胴の外側面の第二例を平面上に展開した展開図である。
【図３】図１に示した本実施形態に係る円筒状加飾缶容器（第一例）の正面図である。
【図４】図１に示した本実施形態に係る円筒状加飾缶容器（第一例）の右側面図である。
【図５】図１に示した本実施形態に係る円筒状加飾缶容器（第一例）の平面図である。
【図６】図１に示した本実施形態に係る円筒状加飾缶容器（第一例）の底面図である。
【図７】本実施形態に係る円筒状加飾缶容器（第一例）を斜め上方から見た斜視図（画像）であり、使用状態を説明する図である。
【図８】本実施形態に係る円筒状加飾缶容器の缶胴の外側面の第三例を平面上に展開した展開図である。
【図９】本実施形態に係る円筒状加飾容器（第一例）において、ラベルを付したときの変形例を示す展開図である。
【符号の説明】
【００３６】
１  円筒部分の外側面
２  帯状の波形
２ａ  色の明度が低から高に推移する階調を有する階調帯
２ｂ，１２ｂ  中間調帯
１２ａ  色の明度が高から低に推移する階調を有する階調帯
２２ａ  濃色帯
２２ｂ  淡色帯
３０  帯状の波形の変位の最小値となる箇所
３１  次の周期の変位の最小値となる箇所
３２  箇所３０と箇所３１の間に挟まれた領域
３３  単独図柄の印刷
１００  円筒状加飾缶容器
Ｙ  円筒部分の主軸方向
Ｘ  円筒部分の円周方向
ｈ  波高
Ｌ  円周方向の１周の長さ
λ  帯状の波形の波長
【図１】
2009035267.tif 000003
【図２】
2009035267.tif 000004
【図３】
2009035267.tif 000005
【図４】
2009035267.tif 000006
【図５】
2009035267.tif 000007
【図６】
2009035267.tif 000008
【図７】
2009035267.tif 000009
【図８】
2009035267.tif 000010
【図９】
2009035267.tif 000011